(57)【要約】【課題】読み取り対象の原稿のサイズの種別に応じて適切なロール紙カットを行なう。【解決手段】原稿読み取り機構１５の画像読み取り部１５ｂは、原稿セット部１５ａにセットされた原稿の画像を読み取る。ＣＰＵ１１は、読み取った画像をもとに、原稿がＡ４定寸原稿、Ａ３定寸原稿、Ａ２定寸原稿、Ａ１定寸原稿およびＡ０定寸原稿のいずれかに該当するか否かを判別する。この判別の結果、原稿がいずれかの種類の定寸原稿である場合には、ＣＰＵ１１は、原稿のサイズと対応する種別の紙仕上げ寸法にしたがったロール紙カットを印刷機構１６が行なうよう制御する。また、前述した種類の定寸原稿でない場合には、ＣＰＵ１１は、短辺の長さが原稿の一辺と対応するロール紙に対し、原稿の一辺に直交する辺の長さにしたがったロール紙カットを行なう。【選択図】      図１
2006121628.tif 000002
【特許請求の範囲】
【請求項１】
短辺の長さが、予め定められた長辺長および短辺長でなる定寸長を定義した紙仕上げ寸法の短辺長と対応するロール紙を搬送する搬送手段と、
走査方向に沿った第１の辺に直交する第２の辺の長さが、前記定められた種類の寸法の短辺長と対応する原稿、または、前記第２の辺の長さが、前記定められた寸法の定寸長のうち短い長さを長辺長として定義する寸法である第２の紙仕上げ寸法の短辺長と対応し、前記第１の辺の長さが前記第２の紙仕上げ寸法の長辺長と対応する原稿の前記第１の辺および第２の辺の長さをそれぞれ検出する検出手段と、
この検出手段により検出した前記原稿の各辺の長さのうち長辺に該当する辺の長さが、前記定められた寸法、および、前記第２の紙仕上げ寸法のうちいずれか一種類の寸法の長辺長と対応し、かつ、前記原稿の長辺に直交する短辺に該当する辺の長さが、前記一種類の寸法の短辺長と対応するか否かを判別する判別手段と、
この判別手段により、前記原稿の各辺の長さと紙仕上げ寸法との対応条件を満たすと判別された場合に、前記搬送手段により搬送される、短辺の長さが前記原稿の第１の辺および第２の辺のいずれかの長さに対応するロール紙に対し、前記一種類の寸法における、前記対応するロール紙の短辺の長さと対応する定寸長と対となる定寸長にしたがった切り出しを行ない、前記判別手段により、前記原稿の各辺の長さと紙仕上げ寸法との対応条件を満たさないと判別された場合に、前記搬送される、短辺の長さが前記原稿の第２の辺の長さと対応するロール紙に対し、前記原稿の第１の辺の長さにしたがった切り出しを行なう切り出し手段と
を備えたことを特徴とする画像処理装置。
【請求項２】
前記搬送手段は、予め定められた複数種類の紙仕上げ寸法のうちいずれかの寸法の短辺長と対応するロール紙を複数種類搬送し、
前記検出手段は、
前記第２の辺の長さが、前記複数種類の寸法のうちいずれかの種類の寸法の短辺長と対応する原稿、または、前記第２の辺の長さが、前記複数種類の寸法の定寸長のうち、最も短い長さを短辺長として定義する寸法における短辺長を長辺長として定義する寸法である第３の紙仕上げ寸法における短辺長と対応し、前記第１の辺の長さが前記第３の紙仕上げ寸法の長辺長と対応する原稿の前記第１の辺および第２の辺の長さを検出し、
前記判別手段は、
前記検出手段により検出した前記原稿の長辺に該当する辺の長さが、前記複数種類の寸法、および、前記第３の紙仕上げ寸法のうちいずれか一種類の寸法の長辺長と対応し、かつ、前記原稿の短辺に該当する辺の長さが、前記一種類の寸法の短辺長と対応するか否かを判別する
ことを特徴とする請求項１に記載の画像処理装置。
【請求項３】
前記原稿の画像を読み取る読み取り手段をさらに備え、
前記検出手段は、前記読み取り手段により読み取った画像をもとに前記原稿の第１の辺の長さを検出する
ことを特徴とする請求項１に記載の画像処理装置。
【請求項４】
前記検出手段は、前記読み取り手段により読み取った画像をもとに、前記原稿の第１の辺の長さおよび第２の辺の長さを検出することを特徴とする請求項３に記載の画像処理装置。
【請求項５】
前記切り出し手段は、
前記判別手段により、前記原稿の各辺の長さと紙仕上げ寸法との対応条件を満たすと判別された場合で、かつ、前記原稿の第１の辺が当該原稿の長辺である場合に、短辺の長さが前記原稿の第１の辺の長さと対応するロール紙に対し、前記一種類の寸法における短辺長の長さにしたがった切り出しを行なう
ことを特徴とする請求項１に記載の画像処理装置。
【請求項６】
前記判別手段は、
前記検出手段により検出した、前記原稿の長辺に該当する辺の長さが、前記一種類の寸法の長辺長に対して予め定められた長さにわたって前後した範囲内にあり、かつ、前記検出した、前記原稿の短辺に該当する長さが、前記一種類の寸法の短辺長に対して予め定められた長さにわたって前後した範囲内にある場合に、前記原稿の各辺の長さと紙仕上げ寸法との対応条件を満たすと判別する
ことを特徴とする請求項１に記載の画像処理装置。
【請求項７】
前記読み取り手段により読み取った画像に対し任意の倍率による拡大縮小を行なう拡大縮小手段をさらに備え、
前記検出手段は、前記拡大縮小手段により拡大縮小された画像に対し前記倍率の逆数による拡大縮小を行なった画像をもとに、前記原稿の第１の辺の長さおよび第２の辺の長さを検出し、
この検出手段による検出結果にしたがって、前記判別手段により、前記原稿の各辺の長さと紙仕上げ寸法との対応条件を満たすと判別された場合に、前記任意の倍率による拡大縮小を行なった画像で表現される図形の長辺の長さおよび短辺の長さをそれぞれ検出する図形解析手段と、
この図形解析手段により検出された前記図形の長辺の長さ以上の長さにある第１の定寸長、および、この第１の定寸長と対となり、かつ、前記図形解析手段により検出された前記図形の短辺の長さ以上の長さにある第２の定寸長を定義する寸法であって、かつ、いずれかの定寸長が、前記搬送するロール紙の短辺の長さと対応する第４の紙仕上げ寸法を決定する手段と
をさらに備え、
前記切り出し手段は、
短辺の長さが前記第４の紙仕上げ寸法における第１の定寸長および第２の定寸長のいずれかに対応するロール紙に対し、前記第４の紙仕上げ寸法における、前記対応したロール紙の短辺の長さと対応する定寸長と対となる定寸長にしたがった切り出しを行なう
ことを特徴とする請求項１に記載の画像処理装置。
【発明の詳細な説明】
【技術分野】
【０００１】
本発明は、例えばデジタル複写機などの画像処理装置に関する。
【背景技術】
【０００２】
従来、例えばデジタル複写機などの、原稿の画像を読み込んで、これを紙に印刷する装置では、印刷に用いる紙としてロール紙を用いるタイプの装置がある。
【０００３】
このロール紙を用いたデジタル複写機の給紙機構は、定寸サイズの原稿、ここでは、紙仕上げ寸法であるＡ０判、Ａ１判、Ａ２判、・・・のいずれかの寸法にしたがった原稿のサイズに合わせたロール紙カット、いわゆる定寸カットを行なう機能、および、非定寸サイズの原稿の印刷方向長さに合わせたロール紙カット、いわゆるシンクロカットを行なう機能を有する（例えば特許文献１参照）。
【特許文献１】特開２００１−２５５７０６号公報
【発明の開示】
【発明が解決しようとする課題】
【０００４】
前述したデシタル複写機では、ユーザは、当該装置に設けられたオペレーションパネルを操作することで、読み取り対象の原稿の種別が定寸原稿であるか非定寸原稿であるかを、当該原稿の画像の読み取り開始前に指定する。
【０００５】
給紙機構は、前述のように原稿の種別が定寸原稿であると指定された場合には、複数種類の紙仕上げ寸法（Ａ０判、Ａ１判、Ａ２判、・・・）のうち、原稿のサイズと対応する寸法にしたがった定寸カットを行ない、原稿の種別が非定寸原稿であると指定された場合には、読み取った画像の印刷方向の長さにしたがったシンクロカットを行なう。
【０００６】
よって、ユーザは読み取り対象の原稿の種別が定寸原稿であるか非定寸原稿であるかを予め見極める必要がある。
【０００７】
仮に、ユーザが読み取り対象の原稿の種別の判断を誤り、原稿が非定寸サイズの原稿であるにも関わらず、原稿の種別が定寸サイズ原稿であると指定した場合には、原稿のサイズと異なるサイズによるロール紙カットがなされてしまう場合がある。
【０００８】
具体的には、読み取り対象の原稿が、例えば非定寸原稿の一種であるＡ１幅原稿、つまり、原稿スキャン方向と直交した辺の長さがＡ１判の短辺長（５９４ミリメートル）で、かつ、原稿スキャン方向に沿った辺の長さがＡ１判の長辺長と異なる原稿である場合に、読み取り対象の原稿の種別を定寸サイズ原稿と指定した場合には、読み取り対象の原稿の、原稿スキャン方向に沿った辺の長さの大小に関わらず、Ａ１幅ロール紙、つまり、短辺の長さがＡ１判の短辺長であるロール紙が印刷対象となり、このＡ１幅ロール紙に対してＡ１判の長辺長にしたがったロール紙カットがなされる。
【０００９】
このような場合、例えば図９に示すように、読み取り対象の、原稿スキャン方向に沿った辺の長さＷ5が５９４ミリメートルであるＡ１幅原稿３１の、原稿スキャン方向に沿った辺の長さＬ6がＡ１判の長辺長（８４１ミリメートル）より短い場合には、図１０に示すように、印刷方向に沿った辺の長さＷ6が５９４ミリメートル（＝Ｗ5）であるＡ１幅ロール紙３２に対するカット長さＬ7は８４１ミリメートルとなる。この長さＬ7は、ロール紙３２上における、原稿３１の原稿スキャン方向に沿った辺と同じ長さＬ8（＝Ｌ6）より長くなってしまうので、カット・印刷後のロール紙において無駄な余白が生じてしまう。
【００１０】
図９は、従来のデジタル複写機にセットする原稿の一例（その１）を示す図である。図１０は、従来のデジタル複写機によるロール紙カットの一例（その１）を示す図である。図１１は、従来のデジタル複写機にセットする原稿の一例（その２）を示す図である。図１２は、従来のデジタル複写機によるロール紙カットの一例（その２）を示す図である。
【００１１】
また、例えば図１１に示すように、読み取り対象の、原稿スキャン方向に沿った辺の長さＷ7（＝Ｗ5）が５９４ミリメートルであるＡ１幅原稿３３の、原稿スキャン方向に沿った辺の長さＬ9がＡ１判の長辺長より長い場合には、図１２に示すように、印刷方向に沿った辺の長さＷ6が５９４ミリメートル（＝Ｗ5）であるＡ１幅ロール紙３２に対するカット長さＬ11は８４１ミリメートル（＝Ｌ7）となり、この長さＬ11は、ロール紙３２上における、原稿３３の原稿スキャン方向に沿った辺と同じ長さＬ10（＝Ｌ9）より短くなってしまうので、切り出し後のロール紙にはＡ１幅原稿３３の一部の内容が含まれない。
【００１２】
また、読み取り対象の原稿が定寸サイズの原稿であるにも関わらず、読み取り対象の原稿の種別が非定寸サイズ原稿であると指定した場合には、読み取り対象の原稿の原稿スキャン方向に沿った辺の長さに合わせたロール紙カットを行なってしまうため、画像読み取りにより認識した原稿サイズと実際の原稿サイズとに誤差が生じていた場合には、切り出したロール紙の寸法が定寸サイズと微妙に異なってしまう。
【００１３】
そこで、本発明の目的は、読み取り対象の原稿のサイズの種別に応じて適切なロール紙カットを行なうことが可能になる画像処理装置を提供することにある。
【課題を解決するための手段】
【００１４】
すなわち、本発明に係わる画像処理装置は、原稿の長辺に該当する辺の長さが、一種類の紙仕上げ寸法の長辺長と対応し、かつ、原稿の短辺に該当する辺の長さが、長辺長と対となる短辺長と対応する場合に、短辺の長さが、原稿の、走査方向に沿った第１の辺、および、この第１の辺に直交する第２の辺のいずれかの長さと対応するロール紙に対し、前述した一種類の寸法における、前述のように対応するロール紙の短辺の長さと対応する定寸長と対となる定寸長にしたがった切り出しを行ない、原稿の各辺の長さと紙仕上げ寸法との対応条件を満たさない場合に、短辺の長さが原稿の第２の辺の長さと対応するロール紙に対し、第１の辺の長さにしたがった切り出しを行なうよう制御することを特徴とする。
【発明の効果】
【００１５】
本発明に係わる画像処理装置では、原稿の長辺および短辺の長さが、一種類の紙仕上げ寸法における長辺長および短辺長とそれぞれ対応する場合に、短辺の長さが原稿の一辺または他辺の長さと対応するロール紙のいずれかに対し、前述した一種類の寸法における長辺長および短辺長のうち、ロール紙の短辺の長さと対応する辺長と対となる辺長にしたがった切り出しを行ない、原稿の各辺の長さと紙仕上げ寸法との対応条件を満たさない場合に、短辺の長さが原稿の一辺の長さと対応するロール紙に対し、原稿の他辺の長さにしたがった切り出しを行なうので、原稿のサイズの種別にしたがって、適切なロール紙カットを行なうことができる。
【発明を実施するための最良の形態】
【００１６】
以下図面により本発明の実施形態について説明する。
【００１７】
図１は、本発明の実施形態にしたがったデジタル複写機の構成例を示すブロック図である。
【００１８】
図１に示すように、本発明の実施形態にしたがったデジタル複写機は、装置全体の処理動作を司るＣＰＵ１１、各種入力操作を受け付ける入力部１２、各種処理動作のためのシステムプログラムを記憶するＲＯＭ１３を備える。
【００１９】
ＣＰＵ１１は、入力部１２からの入力操作信号に応じて起動されるシステムプログラムに従って、各部の動作制御を行なう。図１に示したデジタル複写機は、各種制御用データを一時的に記憶するメモリ１４、原稿の画像を読み取る原稿読み取り機構１５、および、印刷機構１６をさらに備える。
【００２０】
原稿読み取り機構１５は、原稿をセット（載置）する原稿セット部１５ａ、および、原稿セット部１５ａに載置した原稿の画像を読み取る画像読み取り部１５ｂを有する。
【００２１】
ＣＰＵ１１は、紙仕上げ寸法であるＡ０判、Ａ１判、Ａ２判、Ａ３判およびＡ４判の定寸長である長辺長および短辺長を寸法の種別ごとに対応付けて記憶する定寸サイズテーブルを記憶する。図２は、本発明の実施形態にしたがったデジタル複写機のＣＰＵ１１に記憶される定寸サイズテーブルの一例を表形式で示す図である。定寸サイズテーブルはＣＰＵ１１に限らず、例えばＲＯＭ１３に記憶してもよい。
【００２２】
原稿セット部１５ａにセットする原稿は、画像読み取り部１５ｂによる読み取り走査方向（原稿スキャン方向）に沿った第１の辺、および、この第１の辺に直交した第２の辺を有する。原稿の第２の辺の長さは、Ａ０判の短辺長（８４１ミリメートル）、Ａ１判の短辺長（５９４ミリメートル）、Ａ２判の短辺長（４２０ミリメートル）、Ａ３判の短辺長（２９７ミリメートル）、および、Ａ４判の短辺長（２１０ミリメートル）のいずれかである。ただし、原稿の第２の辺の長さがＡ４判の短辺長である場合には、この原稿の第１の辺の長さはＡ４判の長辺長である。
【００２３】
印刷機構１６は、ロール紙セット部１６ａ、搬送部１６ｂ、カット部１６ｃ、および、印刷部１６ｄを有する。ロール紙セット部１６ａは、原稿の画像の印刷用紙であるロール紙をセットする。搬送部１６ｂは、ロール紙セット部１６ａにセットされたロール紙を搬送する。カット部１６ｃは、搬送部１６ｂにより搬送されたロール紙を切り出す（カットする）。印刷部１６ｄは、印刷対象の画像を不足なくロール紙に印刷する。
【００２４】
また、印刷機構１６は、ロール紙に対してカット部１６ｃによる切り出しを行なった後で、この切り出したロール紙に対して印刷部１６ｄによる印刷を行なう構成であってもよいし、切り出し前のロール紙に対して印刷部１６ｄによる印刷を行なった後で、この印刷を行なったロール紙に対してカット部１６ｃによる切り出しを行なう構成であってもよい。
【００２５】
ロール紙セット部１６ａには、複数種類のロール紙を個別にセットできる。具体的には、ロール紙セット部１６ａは、Ａ０幅ロール紙、Ａ１幅ロール紙、Ａ２幅ロール紙およびＡ３幅ロール紙を個別にセットできる。ロール紙セット部１６ａは、１種類のみのロール紙をセット可能な構成であってもよい。
【００２６】
Ａ０幅ロール紙は、短辺の長さがＡ０判の短辺長であるロール紙である。Ａ１幅ロール紙の短辺の長さはＡ１判の短辺長である。Ａ２幅ロール紙の短辺の長さはＡ２判の短辺長である。Ａ３幅ロール紙の短辺の長さはＡ３判の短辺長である。
【００２７】
次に、本発明の実施形態にしたがったデジタル複写機の処理動作について説明する。  
【００２８】
図３は、本発明の実施形態にしたがったデジタル複写機による原稿サイズの判別にかかる処理動作の一例を示すフローチャートである。
【００２９】
まず、原稿読み取り機構１５の画像読み取り部１５ｂは、原稿セット部１５ａにセットされた原稿の画像を読み取り、この読み取りにより生成した画像データをメモリ１４に出力する（ステップＳ１）。画像データで表現される図形のサイズは原稿のサイズと同じである。原稿の一辺は画像読み取り部１５ｂによる読み取り走査方向と沿うものとする。また、出力された画像データは、当該画像データで表現される図形の各辺のうち、原稿における画像読み取り部１５ｂによる読み取り走査方向に沿った辺と同じ位置関係にある辺を示す情報を含む。
【００３０】
ＣＰＵ１１は、メモリ１４に入力された画像データをもとに、原稿セット部１５ａにセットされた原稿のサイズがＡ４サイズであるか否かを判別する（ステップＳ２）。具体的には、ＣＰＵ１１は、メモリ１４に入力された画像データを入力して、この画像データで表現される図形の各辺のうち、原稿の読み取り操作方向に沿った辺と同じ位置関係にある辺、および、この辺に直交する辺の長さをそれぞれ検出し、これらの長さ、および、定寸サイズテーブルで示される情報を照合することで、原稿の各辺の長さとＡ４判の各定寸長の対応関係を満たすか否か、つまり、原稿の各辺のうち一方の辺の長さが、Ａ４判の短辺長（２１０ミリメートル）と一致または近似し、他方の辺の長さがＡ４判の長辺長（２９７ミリメートル）と一致または近似するか否かを判別する。
【００３１】
ここで、原稿の各辺のうち、読み取り走査方向と直交した方向に沿った辺の長さについては、図示しないセンサを用いて検出してもよい。
【００３２】
また、ＣＰＵ１１は、原稿の各辺の長さとＡ４判の各定寸長の対応関係を満たすか否かの判別にあたり、例えば原稿を読み込んだ画像で表現される図形の一辺の長さがＡ４判の短辺長から例えば前後３ミリメートル以内の値（２０７〜２１３ミリメートル）であり、かつ、前述した一辺に直交した辺の長さがＡ４判の長辺長から例えば前後３ミリメートル以内の値（２９４〜３００ミリメートル）であれば、原稿の一辺の長さ、および、この辺に直交した辺の長さが、Ａ４判の短辺長およびＡ４判の長辺長とそれぞれ近似すると判別する。以後、原稿の各辺の長さが、いずれかの種別の紙加工寸法の長辺長および短辺長とそれぞれ一致または近似する場合には、原稿の各辺の長さが、いずれかの種別の紙加工寸法の長辺長および短辺長とそれぞれ対応すると説明する。
【００３３】
ステップＳ２の処理の結果、原稿の各辺の長さがＡ４判の短辺長、および、Ａ４判の長辺長とそれぞれ対応すると判別された場合には、ＣＰＵ１１は、原稿がＡ４定寸原稿、つまり、長辺がＡ４判の長辺長であり、かつ、短辺がＡ４判の短辺長である原稿であると判別する（ステップＳ３）。
【００３４】
一方、ステップＳ２の処理の結果、「ＮＯ」と判別された場合には、ＣＰＵ１１は、メモリ１４に入力された画像データをもとに、原稿セット部１５ａにセットされた原稿のサイズがＡ３サイズであるか否かを判別する（ステップＳ４）。このステップＳ４の処理は、前述したステップＳ１の処理で読み取り処理を施した原稿の各辺の長さがＡ３判の長辺長および短辺長とそれぞれ対応するか否かを判別する処理であるので、その詳細は、ステップＳ２の処理の詳細と類似する。この場合、ステップＳ２の処理の説明における「Ａ４判」を「Ａ３判」と読み替えればよい。
【００３５】
ステップＳ４の処理の結果、原稿の各辺の長さがＡ３判の短辺長およびＡ３判の長辺長とそれぞれ対応すると判別された場合には、ＣＰＵ１１は、原稿がＡ３定寸原稿、つまり、長辺がＡ３判の長辺長であり、かつ、短辺がＡ３判の短辺長である原稿であると判別する（ステップＳ５）。
【００３６】
一方、ステップＳ４の処理の結果、「ＮＯ」と判別された場合には、ＣＰＵ１１は、メモリ１４に入力された画像データをもとに、原稿セット部１５ａにセットされた原稿のサイズがＡ２サイズであるか否かを判別する（ステップＳ６）。このステップＳ６の処理は、前述したステップＳ１の処理で読み取り処理を施した原稿の各辺の長さがＡ２判の長辺長および短辺長とそれぞれ対応するか否かを判別する処理であるので、その詳細は、ステップＳ２の処理の詳細と類似する。この場合、ステップＳ２の処理の説明における「Ａ４判」を「Ａ２判」と読み替えればよい。
【００３７】
ステップＳ６の処理の結果、原稿の各辺の長さがＡ２判の短辺長、および、Ａ２判の長辺長とそれぞれ対応すると判別された場合には、ＣＰＵ１１は、原稿がＡ２定寸原稿、つまり、長辺がＡ２判の長辺長であり、かつ、短辺がＡ２判の短辺長である原稿であると判別する（ステップＳ７）。
【００３８】
一方、ステップＳ６の処理の結果、「ＮＯ」と判別された場合には、ＣＰＵ１１は、メモリ１４に入力された画像データをもとに、原稿セット部１５ａにセットされた原稿のサイズがＡ１サイズであるか否かを判別する（ステップＳ８）。このステップＳ８の処理は、前述したステップＳ１の処理で読み取り処理を施した原稿の各辺の長さがＡ１判の長辺長および短辺長とそれぞれ対応するか否かを判別する処理であるので、その詳細は、ステップＳ２の処理の詳細と類似する。この場合、ステップＳ２の処理の説明における「Ａ４判」を「Ａ１判」と読み替えればよい。
【００３９】
ステップＳ８の処理の結果、原稿の各辺の長さがＡ１判の短辺長、および、Ａ１判の長辺長とそれぞれ対応すると判別された場合には、ＣＰＵ１１は、原稿がＡ１定寸原稿、つまり、長辺がＡ１判の長辺長であり、かつ、短辺がＡ１判の短辺長である原稿であると判別する（ステップＳ９）。
【００４０】
一方、ステップＳ８の処理の結果、「ＮＯ」と判別された場合には、ＣＰＵ１１は、メモリ１４に入力された画像データをもとに、原稿セット部１５ａにセットされた原稿のサイズがＡ０サイズであるか否かを判別する（ステップＳ１０）。このステップＳ１０の処理は、前述したステップＳ１の処理で読み取り処理を施した原稿の各辺の長さがＡ０判の長辺長および短辺長とそれぞれ対応するか否かを判別する処理であるので、その詳細は、ステップＳ２の処理の詳細と類似する。この場合、ステップＳ２の処理の説明における「Ａ４判」を「Ａ０判」と読み替えればよい。
【００４１】
ステップＳ１０の処理の結果、原稿の各辺の長さがＡ０判の短辺長、および、Ａ０判の長辺長とそれぞれ対応すると判別された場合には、ＣＰＵ１１は、原稿がＡ０定寸原稿、つまり、長辺がＡ０判の長辺長であり、かつ、短辺がＡ０判の短辺長である原稿であると判別する（ステップＳ１１）。
【００４２】
一方、ステップＳ１０の処理の結果、「ＮＯ」と判別された場合には、ＣＰＵ１１は、原稿が非定寸原稿であると判別する（ステップＳ１２）。非定寸原稿とは、前述したＡ４定寸原稿、Ａ３定寸原稿、Ａ２定寸原稿、Ａ１定寸原稿、および、Ａ０定寸原稿以外の原稿を指す。
【００４３】
ＣＰＵ１１は、ステップＳ３，Ｓ５，Ｓ７，Ｓ９，Ｓ１１の処理後は、当該処理で判別した種別の定寸原稿のサイズと対応する紙仕上げ寸法の長辺長および短辺長の長さにしたがったロール紙カット、いわゆる定寸カットを行なう。
【００４４】
図４は、本発明の実施形態にしたがったデジタル複写機の原稿読み取り機構１５にセットする原稿の一例（その１）を示す図である。
【００４５】
図４に示したように、読み取り対象のＡ１定寸原稿２１の各辺のうち、原稿スキャン方向に沿った辺の長さＬ1はＡ１判の長辺長（８４１ミリメートル）であり、原稿スキャン方向と直交した方向に沿った辺の長さＷ1はＡ１判の短辺長（５９４ミリメートル）である。長さＬ1およびＷ1の値はステップＳ１の処理により検出する。
【００４６】
次に、ロール紙の定寸カットの例について説明する。この例では、原稿読み取り機構１５にセットした原稿がＡ１低寸原稿２１であり、ステップＳ９の処理により、読み取り対象の原稿がＡ１定寸原稿であると判別された場合の定寸カットについて説明する。
【００４７】
図５は、本発明の実施形態にしたがったデジタル複写機による、ロール紙の定寸カットの一例を示す図である。
【００４８】
Ａ１定寸原稿２１（図４参照）の原稿スキャン方向と直交した方向に沿った辺の長さ（Ｗ1）はＡ１判の短辺長であるので、ＣＰＵ１１は、印刷機構１６のカット部１６ｃが、ロール紙セット部１６ａにセットされた複数種類のロール紙のうち、短辺の長さ、つまり、印刷方向（ロール紙搬送方向）と直交した辺の長さが、Ａ１定寸原稿２１の、原稿スキャン方向と直交した方向に沿った辺の長さＷ1（５９４ミリメートル）と対応するロール紙であるＡ１幅ロール紙２２（図５参照）に対し、Ａ１判の長辺長（８４１ミリメートル）にしたがった切り出しを行なうよう制御する。つまり、切り出されたロール紙の一辺の長さＷ2（＝Ｗ1）はＡ１判の短辺長と対応し、この一辺に直交した辺の長さＬ2（＝Ｌ1）はＡ１判の長辺長と対応する。
【００４９】
次に、ロール紙のシンクロカットの例について説明する。このシンクロカットは、ステップＳ１２の処理により、原稿が非定寸原稿であると判別された場合のロール紙カットである。
【００５０】
図６は、本発明の実施形態にしたがったデジタル複写機の原稿読み取り機構１５にセットする非定寸原稿の一例を示す図である。
【００５１】
図６に示した、読み取り対象の非定寸原稿は、原稿スキャン方向と直交した方向に沿った辺の長さＷ3がＡ１判の短辺長（５９４ミリメートル）であるＡ１幅原稿２３である。Ａ１幅原稿２３の、原稿スキャン方向に沿った辺の長さＬ3はＡ１判の長辺長と対応しない。長さＬ3およびＷ3の値はステップＳ１の処理により検出する。
【００５２】
図７は、本発明の実施形態にしたがったデジタル複写機による、ロール紙のシンクロカットの一例を示す図である。この例では、原稿読み取り機構１５にセットした原稿がＡ１幅原稿２３であった場合のロール紙カットについて説明する。
【００５３】
Ａ１幅原稿２３（図６参照）の各辺のうち、原稿スキャン方向と直交した方向に沿った辺の長さＷ3はＡ１判の短辺長であるので、ＣＰＵ１１は、印刷機構１６のカット部１６ｃが、ロール紙セット部１６ａにセットされた複数種類のロール紙のうち、短辺の長さが、Ａ１幅原稿２３の、原稿スキャン方向と直交した方向に沿った辺の長さＷ3と対応するロール紙であるＡ１幅ロール紙２２（図７参照）に対し、Ａ１幅原稿２３の、原稿スキャン方向に沿った辺の長さＬ3にしたがった切り出しを行なうよう制御する。つまり、切り出されたロール紙の一辺の長さＷ2はＡ１判の短辺長と対応し、この一辺に直交した辺の長さＬ4はＡ１幅原稿２３の長さＬ3と対応する。
【００５４】
以上説明したように、本発明の実施形態にしたがったデジタル複写機は、スキャン対象の原稿のサイズが、予め定められた複数種類のうちいずれかの種類の紙仕上げ寸法に対応していれば、この寸法に合わせたロール紙カットである定寸カットを行ない、スキャン対象の原稿のサイズが前述した種類の紙仕上げ寸法に対応していなければ、原稿の一辺の長さにしたがったロール紙カットであるシンクロカットを行なうので、ユーザが特に入力操作を行なうことなく、原稿の種別に応じて適切なロール紙カットを行なうことができる。
【００５５】
次に、ロール紙の定寸カットの変形例について説明する。ここでは、ステップＳ９の処理により、原稿がＡ１定寸原稿であると判別された場合の定寸カットの変形例について説明する。
【００５６】
図８は、本発明の実施形態にしたがったデジタル複写機による、ロール紙の定寸カットの変形例を示す図である。
【００５７】
この例では、読み取り対象の原稿はＡ１定寸原稿２１（図４参照）である。図４および図５を参照して説明した定寸カットでは、Ａ１定寸原稿２１のスキャン後にＡ１幅ロール紙２２に対する定寸カットを行なっていたが、この変形例では、Ａ１定寸原稿２１のスキャン後にＡ０幅ロール紙２４（図８参照）に対する定寸カットを行なう。Ａ０幅ロール紙２４の、印刷方向と直交した方向に沿った辺の長さＷ4はＡ０判の短辺長（８４１ミリメートル）である。
【００５８】
まず、ＣＰＵ１１は、メモリ１４に入力された画像データをもとに、Ａ１定寸原稿２１の、原稿スキャン方向に沿った辺の長さＬ1が、原稿スキャン方向と直交した方向に沿った辺の長さＷ1より長いか否かを判別する。
【００５９】
この判別の結果、長さＬ1が長さＷ1より長い場合、つまり、Ａ１定寸原稿２１の、原稿スキャン方向に沿った辺が当該Ａ１定寸原稿２１の長辺であった場合には、ＣＰＵ１１は、印刷機構１６のカット部１６ｃが、ロール紙セット部１６ａにセットされた複数種類のロール紙のうち、短辺の長さ、つまり、印刷方向と直交した辺の長さが、Ａ１定寸原稿２１の、原稿スキャン方向に沿った辺の長さＬ1（８４１ミリメートル）と対応するロール紙であるＡ０幅ロール紙２４に対し、Ａ１判の短辺長（５９４ミリメートル）にしたがった切り出しを行なうよう制御する。つまり、切り出されたロール紙の一辺の長さＷ4はＡ１判の長辺長と対応し、この一辺に直交した辺の長さＬ5はＡ１判の短辺長と対応する。
【００６０】
このような処理を行なうことで、スキャン対象の原稿がＡ１定寸原稿２１である場合には、印刷対象のロール紙はＡ１幅ロール紙２２に限らず、原稿読み取り機構１５に対するセット方向次第では他の種別のロール紙も対象となるので、単一の種別のロール紙の偏った消費を防ぐことができる。また、スキャン対象の原稿は、Ａ１定寸原稿２１に限らず、原稿スキャン方向に沿った辺の長さが、ロール紙セット部１６ａにセットされるロール紙の短辺の長さを長辺長として定義する紙仕上げ寸法の長辺長と対応する定寸原稿、ここでは、Ａ２定寸原稿、Ａ３定寸原稿、Ａ４定寸原稿であっても同様の効果が得られる。
【００６１】
本発明の実施形態にしたがったデジタル複写機は、原稿読み取り機構１５が読み取った原稿の画像に拡大または縮小し、この拡大縮小により得た画像を、印刷機構１６によりロール紙に印刷する機能を有する。
【００６２】
ここで、画像の拡大縮小を任意の倍率にしたがって行なった場合には、セットした原稿が定寸原稿であっても、メモリ１４に入力された出力対象の画像で表現される図形の各辺が紙仕上げ寸法と対応しない場合がある。
【００６３】
このような場合には、前述したように、メモリ１４に入力された画像のサイズを検出することで、原稿が定寸原稿であるか否かを判別すると、実際にセットした原稿が定寸原稿であるか否かにかかわらず、原稿が定寸原稿であると判別されないので、シンクロカットのみがカット手法として用いられることになる。
【００６４】
そして、このような場合には、出力対象の画像で表現される図形の一辺の長さ以上の短辺長さをもつロール紙に対し、図形の他辺の長さにしたがったロール紙カットであるシンクロカットを行なうことが考えられるが、定寸カットの利点である、ロール紙カットの精度の高さを発揮することができない。
【００６５】
以下、本発明の実施形態にしたがったデジタル複写機において、原稿の画像の拡大縮小を行なった場合の、原稿サイズの種別の判別からロール紙カットまでの処理について説明する。
【００６６】
具体的には、画像読み取り部１５ｂは、原稿セット部１５ａにセットされた原稿の画像を読み込んだ再に、入力部１２が、任意の倍率による拡大縮小にかかる操作を受け付けた場合には、原稿読み取り機構１５は、この読み込みにより得た画像データに対し、前述した倍率にしたがった拡大縮小処理を行ない、この画像データをメモリ１４に出力する。
【００６７】
ＣＰＵ１１は、メモリ１４に入力された画像データに対し、前述した倍率の逆数による拡大縮小処理を行なって、この処理により得た画像データで表現される図形の長辺および短辺の長さをそれぞれ検出することで、原稿セット部１５ａにセットされた原稿の長辺および短辺の長さを検出する。
【００６８】
ＣＰＵ１１は、このように検出した長辺および短辺の長さをもとに、前述したステップＳ２以降の処理を行なうことで、原稿のサイズの種別が定寸原稿であるか非定寸原稿であるかを判別する。
【００６９】
この判別の結果、原稿のサイズの種別が定寸原稿であると判別された場合には、ＣＰＵ１１は、原稿読み取り機構１５からメモリ１４に入力された画像データ、つまり、拡大縮小後の画像データで表現される図形の長辺と短辺の長さ、および、定寸サイズテーブルで示される情報を照合することで、図形の長辺以上の長さをもつ第１の定寸長、および、図形の短辺以上の長さをもつ第２の定寸長が定義される紙仕上げ寸法の種別を検出する。
【００７０】
ここで検出する寸法の種別は、第１の定寸長および第２の定寸長のいずれかが、ロール紙セット部１６ａにセットされたロール紙の短辺の長さと対応する紙仕上げ寸法、ここでは、Ａ０判、Ａ１判、Ａ２判、Ａ３判のいずれかである。
【００７１】
そして、ＣＰＵ１１は、印刷機構１６のカット部１６ｃが、ロール紙セット部１６ａにセットされた複数種類のロール紙のうち、短辺の長さ、つまり、印刷方向と直交した辺の長さが第１の定寸長と対応するロール紙に対し、第２の定寸長にしたがった切り出しを行なうよう制御する。
【００７２】
また、ＣＰＵ１１は、前述した第１および第２の定寸長をもつ寸法の検出後、印刷機構１６のカット部１６ｃが、ロール紙セット部１６ａにセットされた複数種類のロール紙のうち、短辺の長さが第２の定寸長と対応するロール紙に対し、第１の定寸長にしたがった切り出しを行なうよう制御してもよい。
【００７３】
このような制御を行なうことで、原稿の画像を読み込んで、この画像に対する拡大縮小がなされていた場合でも、ロール紙セット部１６ａにセットした原稿が定寸原稿であれば、ロール紙に対する定寸カットを行なうことができるので、ロール紙カットの精度を保つことができる。
【００７４】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００７５】
【図１】本発明の実施形態にしたがったデジタル複写機の構成例を示すブロック図。
【図２】本発明の実施形態にしたがったデジタル複写機のＣＰＵに記憶される定寸サイズテーブルの一例を表形式で示す図。
【図３】本発明の実施形態にしたがったデジタル複写機による原稿サイズの判別にかかる処理動作の一例を示すフローチャート。
【図４】本発明の実施形態にしたがったデジタル複写機の原稿読み取り機構にセットする定寸原稿の一例を示す図。
【図５】本発明の実施形態にしたがったデジタル複写機による、ロール紙の定寸カットの一例を示す図。
【図６】本発明の実施形態にしたがったデジタル複写機の原稿読み取り機構にセットする非定寸原稿の一例を示す図。
【図７】本発明の実施形態にしたがったデジタル複写機による、ロール紙のシンクロカットの一例を示す図。
【図８】本発明の実施形態にしたがったデジタル複写機による、ロール紙の定寸カットの変形例を示す図。
【図９】従来のデジタル複写機にセットする原稿の一例（その１）を示す図。
【図１０】従来のデジタル複写機によるロール紙カットの一例（その１）を示す図。
【図１１】従来のデジタル複写機にセットする原稿の一例（その２）を示す図。
【図１２】従来のデジタル複写機によるロール紙カットの一例（その２）を示す図。
【符号の説明】
【００７６】
１１…ＣＰＵ、１２…入力部、１３…ＲＯＭ、１４…メモリ、１５…原稿読み取り機構、１５ａ…原稿セット部、１５ｂ…画像読み取り部、１６…印刷機構、１６ａ…ロール紙セット部、１６ｂ…搬送部、１６ｃ…カット部、１６ｄ…印刷部、２１…Ａ１定寸原稿、２２，３２…Ａ１幅ロール紙、２３，３１，３３…Ａ１幅原稿、２４…Ａ０幅ロール紙。
【図１】
2006121628.tif 000003
【図２】
2006121628.tif 000004
【図３】
2006121628.tif 000005
【図４】
2006121628.tif 000006
【図５】
2006121628.tif 000007
【図６】
2006121628.tif 000008
【図７】
2006121628.tif 000009
【図８】
2006121628.tif 000010
【図９】
2006121628.tif 000011
【図１０】
2006121628.tif 000012
【図１１】
2006121628.tif 000013
【図１２】
2006121628.tif 000014